(57)【特許請求の範囲】
【請求項１】
サッシ枠に固着された第１ブラケットと面格子に固着された第２ブラケットとを防犯ビスを用いて接続することによりサッシ枠に取付けられる窓用面格子において、
前記第１ブラケットは、その上端部又は下端部にフック部を、その側部に案内部を有し、前記フック部を前記サッシ枠の縦枠に設けてある突縁の長手方向端部に係止するとともに、前記案内部を前記突縁の側部に係止して位置を確定した後、前記第１ブラケットの前面側からビスを前記突縁にねじ込んで前記第１ブラケットを前記突縁に固着することを特徴とする窓用面格子。
【請求項２】
サッシ枠に固着された第１ブラケットと面格子に固着された第２ブラケットとを防犯ビスを用いて接続することによりサッシ枠に取付けられる窓用面格子において、
前記第１ブラケットは、前記サッシ枠の縦枠に設けてある突縁の長手方向端部に係止されるフック部と、そのフック部から前記突縁に沿って縦方向に延び、前記突縁に当接してビスで固着される固着部と、前記固着部から屋外方向に張出す張出し部と、その張出し部の屋内外方向の中間位置において前記固着部と平行な面に沿って設けられ、高さ方向中間位置にビス挿通用の切欠又は孔を有する位置決め部とを有し、前記固着部には前記ビス挿通用の切欠又は孔を通って屋外方向に臨むビス貫通孔が設けられ、前記張出し部には前記防犯ビスをねじ込むための孔が設けられているものであり、
前記第２ブラケットは、面格子にビスで固着される固着部と、その固着部から屋内方向に張出す張出し部と、張出し部の屋内側端部において前記固着部と同一側にその固着部と平行に設けられて前記第１ブラケットの位置決め部に当接可能な位置決め部と、前記位置決め部の上端部又は下端部に設けられ、前記第１ブラケットの位置決め部に係止されるフック部とを有し、前記位置決め部には前記ビスを面格子にねじ込むためのドライバを挿通する孔が設けてあり、前記張出し部には前記防犯ビスの軸部を貫通する孔が設けてあること、
を特徴とする窓用面格子。
【請求項３】
請求項１又は２記載の窓用面格子において、第２ブラケットの防犯ビスの軸部を貫通する孔は、サッシ枠の縦枠の高さの変動量に応じうる長孔とされていることを特徴とする窓用面格子。
【請求項４】
請求項１，２又は３記載の窓用面格子において、第１ブラケットの張出し部には、サッシ枠の縦枠の外側から横枠のビスホールにねじ込んだビスの頭部の回避を可能にする切欠部が形成されていることを特徴とする窓用面格子。
【発明の詳細な説明】
【０００１】
【発明の属する技術分野】
本発明は、窓用面格子、とくにサッシ枠に固着された第１ブラケットと面格子に固着された第２ブラケットとを防犯ビスを用いて接続して、サッシ枠に取付けられる窓用面格子に関する。
【０００２】
【従来の技術】
従来の窓用面格子は、サッシ枠と面格子の一方に単体のブラケットの一端をビスで固着し、そのブラケットの他端をサッシ枠と面格子の他方にビスで固着することにより、窓用面格子をサッシ枠に取付けていた（例えば、実開平６−８２３８３号公報、特開平１０−１９６２４２号公報）。
【０００３】
【発明が解決しようとする課題】
この場合、面格子がサッシ枠に取付けられた状態において、ブラケットと面格子とを接続するビス又はブラケットとサッシ枠とを接続するビスが、面格子の屋外側に露出していると、ドライバなどの通常の工具を用いて容易にビスを緩めて面格子が取外されるので、防犯性に乏しい。そのため、従来は、ビスが面格子の屋外側に露出しないように最後のビスのねじ込み作業をするため、面格子取付け業者が屋内に入らなければならないという問題があった。
【０００４】
上記問題点を解消するためには、ブラケットを、サッシ枠側に固着される第１ブラケットと、面格子側に固着される第２ブラケットとに分割して構成し、サッシ枠と面格子にそれぞれ固着した第１ブラケットと第２ブラケットとを屋外側からねじ込まれる防犯ビス（締める方向には回転できるが、緩める方向には回転できないビス。以下、同じ。）により接続することにより、防犯性を向上させることができると考えられる。
しかし、第１ブラケットを単にサッシ枠の縦枠に当接してビスで固着する場合は、第１ブラケットのサッシ枠の縦枠に対する位置決めが容易でない。また、サッシ枠に固着された第１ブラケットと面格子に固着された第２ブラケットとを防犯ビスを介して接続する際は、面格子の荷重を支えながらのねじ込み作業となるため、第１ブラケットと第２ブラケットを単に重ね合せてその重ね合せ部分において防犯ビスのねじ込み作業を行う場合の防犯ビスとビスねじ込み孔との位置合せが容易でない。そのため、面格子のサッシ枠に対する取付けを迅速容易に行うことができないという新たな問題が発生する。
【０００５】
本発明は、この新たな問題を解消するためになされたものであり、その課題は、面格子のサッシ枠に対する取付けが容易にでき、しかも、面格子取付け後の防犯性が向上する窓用面格子を提供することにある。
【０００６】
【課題を解決するための手段】
上記課題を解決するため、請求項１の発明は、サッシ枠に固着された第１ブラケットと面格子に固着された第２ブラケットとを防犯ビスを用いて接続して、サッシ枠に取付けられる窓用面格子において、前記第１ブラケットは、その上端部又は下端部にフック部を、その側部に案内部を有し、前記フック部を前記サッシ枠の縦枠に設けてある突縁の長手方向端部に係止するとともに、前記案内部と前記突縁の側部に係止して位置を確定した後、前記第１ブラケットの前面側からビスを前記突縁にねじ込んで前記第１ブラケットを前記突縁に固着することを特徴としている。
上記構成により、第１ブラケットはサッシ枠の縦枠に取付ける際は、そのフック部を縦枠の突縁の長手方向端部に係止するとともに、案内部を突縁の側部に係止する。これにより、第１ブラケットの縦枠に対する位置決めが容易確実にできる。従って、その後のねじ込み作業が簡単迅速にできる。
【０００７】
請求項２の発明は、サッシ枠に固着された第１ブラケットと面格子に固着された第２ブラケットとを防犯ビスを用いて接続することによりサッシ枠に取付けられる窓用面格子において、前記第１ブラケットは、前記サッシ枠の縦枠に設けてある突縁の長手方向端部に係止されるフック部と、そのフック部から前記突縁に沿って縦方向に延び、前記突縁に当接してビスで固着される固着部と、前記固着部から屋外方向に張出す張出し部と、その張出し部の屋内外方向の中間位置において前記固着部と平行な面に沿って設けられ、高さ方向中間位置にビス挿通用の切欠又は孔を有する位置決め部とを有し、前記固着部には前記ビス挿通用の切欠又は孔を通って屋外方向に臨むビス貫通孔が設けられ、前記張出し部には前記防犯ビスをねじ込むための孔が設けられているものであり、前記第２ブラケットは、面格子にビスで固着される固着部と、その固着部から屋内方向に張出す張出し部と、張出し部の屋内側端部において前記固着部と同一側にその固着部と平行に設けられて前記第１ブラケットの位置決め部に当接可能な位置決め部と、前記位置決め部の上端部又は下端部に設けられ、前記第１ブラケットの位置決め部に係止されるフック部とを有し、前記位置決め部には前記ビスを面格子にねじ込むためのドライバを挿通する孔が設けてあり、前記張出し部には前記防犯ビスの軸部を貫通する孔が設けてあることを特徴としている。
上記構成により、面格子取付け時に、第２ブラケットのフック部をサッシ枠の縦枠に固着してある第１ブラケットの位置決め部の上端又は下端に係止すると、第２ブラケットの第１ブラケットに対する上下方向の位置決めが正確にかつ迅速容易にできる。従って、防犯ビスのねじ込みも迅速容易に行える。そして、防犯ビスを位置決め部の防犯ビス貫通孔に貫通して第１ブラケットの防犯ビスねじ込み孔にねじ込むことにより、第１ブラケットと第２ブラケットが分離不可能に接続される。
【０００８】
第２ブラケットの防犯ビスの軸部を貫通するビス貫通孔は、サッシ枠の縦枠の高さの変動量に応じた長孔とされていることが望ましい。
このようにした場合は、第２ブラケットの位置決め部を第１ブラケットの位置決め部に当接して長孔を防犯ビス貫通孔に合致させた後、又は第２ブラケットのフック部を第１ブラケットの位置決め部の上端部に係止し、かつ、第２ブラケットの位置決め部を第１ブラケットの位置決め部に当接して長孔を防犯ビス貫通孔に合致させた後、防犯ビスを防犯ビスねじ込み孔に仮ねじ込みをした状態で面格子の高さをサッシ枠の縦枠の高さに合致させて防犯ビスを本締めすることにより、面格子の取付け高さをサッシ枠の高さに応じて適正に設定することができる。
【０００９】
第１ブラケットの張出し部には、サッシ枠の縦枠の外側から横枠のビスホールにねじ込んだビスの頭部の回避を可能にする切欠部が形成されていることが望ましい。
このような構成を備えた場合は、サッシ枠の縦枠の屋外側端部に設けてある突縁が縦枠の屋内方向に若干ずらして設けてあるサッシに対しても、縦枠と横枠を組立てるビスの頭部を避けることが可能になる。
【００１０】
【発明の実施の形態】
次に、本発明の実施の形態を図面に基づいて説明する。
図１は本発明の要部を示す分解斜視図であり、図２の右上側部分の構成に対応する。図２はサッシ枠と、これに取付けられる面格子と、その取付けの際に用いられるブラケットの配置関係を示す斜視図、図３は同ブラケットを用いて面格子がサッシ枠に取付けられた状態における縦断面図、図４は同じく横断面図である。
【００１１】
図２〜図４において、Ｓはサッシ枠であり、上下の横枠１，２と左右の縦枠３，４を周知の方法により矩形の枠体に組み立てられている。サッシ枠の中に備えられる開口面遮閉体５は、その構造の如何を問わない。すなわち、サッシ枠の中に形成された開口には、その開口面を開閉可能に又は嵌め殺し式に遮閉する任意の構造の障子又はガラス板が装備されている。
【００１２】
また、図２〜図４において、Ｇは窓用面格子（以下、単に面格子という。）であり、周囲に上下の横枠６，７と左右の縦枠８，９を周知の方法により矩形の枠体に組み立てられ、その中に侵入防止部材又は侵入防止兼目隠し部材１０が任意のパターンで取付けられている。
【００１３】
そして、サッシ枠Ｓの左右の縦枠３，４の上端部と下端部には、面格子取付け用ブラケットの一つの構成要素である第１ブラケットＢ１（Ｂ１1 ，Ｂ１2 ，Ｂ１3 ，Ｂ１4 の総称）が後述されるようにして固着されている。また、面格子Ｇの上下の横枠６，７の長手方向端部又はその付近には、前記ブラケットのもう一つの構成要素である第２ブラケットＢ２（Ｂ２1 ，Ｂ２2 ，Ｂ２3 ，Ｂ２4 の総称）が後述されるようにして固着されている。
なお、図２には、形状を理解し易いように、面格子に取付けられた第２ブラケットＢ２を透視状態で示してある。
【００１４】
サッシ枠Ｓの上部に取付けられる左右の第１ブラケットＢ１1 ，Ｂ１2 の間の距離は面格子Ｇの上部に取付けられる左右の第２ブラケットＢ２1 ，Ｂ２2 の間の距離と、また、サッシ枠Ｓの下部に取付けられる左右の第１ブラケットＢ１3 ，Ｂ１4 の間の距離は面格子Ｇの下部に取付けられる左右の第２ブラケットＢ２3 ，Ｂ２4 の間の距離と、さらに、サッシ枠Ｓの左右それぞれの縦枠３，４の上下に取付けられる第１ブラケットＢ１1 ，Ｂ１3 ；Ｂ１2 ，Ｂ１4 の間の距離は面格子Ｇの上下に取付けられる第２ブラケットＢ２1 ，Ｂ２3 ；Ｂ２2 ，Ｂ２4 の間の距離と、それぞれ等しくされている。
【００１５】
各ブラケットの第１ブラケットＢ１が取付けられるサッシ枠Ｓの縦枠（以下、サッシ縦枠という。）３，４は、従来と同様の構造を有するものであり、図１に示すように、屋外側端部にサッシ枠の開口中心から遠ざかる方向に突出する突縁４ａが設けてある。サッシ枠の種類によっては、図示の例とは若干異なり、突縁４ａがサッシ枠の屋内側方向に若干ずらして設けてある場合があり、このようなサッシ縦枠を用いるサッシ枠にも本発明の使用が可能である。
【００１６】
本発明において用いられるブラケットは、サッシ枠側に取付けられる第１ブラケットＢ１と、面格子側に取付けられる第２ブラケットＢ２とから構成されている。第１ブラケットＢ１及び第２ブラケットＢ２はいずれも所要の強度を備えるため、鋼板を曲げ加工して作られている。なお、左上側のブラケットと右上側のブラケットは左右対称形であり、また、下側のブラケットと上側のブラケットは上下対称形である。
【００１７】
従って、以下には、図２の右上側のブラケットについて代表的に図１に基づいてその構造を詳細に説明し、他のブラケットについての説明を省略する。
図１の第１ブラケットＢ１（Ｂ１2 ）は、屋内側端部に備えられてサッシ縦枠４の突縁４ａに当接してビスｂ１で固着される固着部１１と、その固着部から屋外方向に張出す張出し部１２と、その張出し部の屋内外方向の中間位置において固着部１１と平行な面に沿って設けられた位置決め部１３とを一体に有する。
そして、固着部１１の上端部に屋内方向に突出するように設けられたフック部１４を有する。このフック部１４は、第１ブラケットＢ１をサッシ縦枠４に取付ける際に、第１ブラケットのサッシ縦枠４に対する位置決めが容易にできるように、突縁４ａの上端部４ｂに係止するためのものである。
【００１８】
固着部１１には、その中間位置にビス貫通孔ｈ１が形成してある。このビス貫通孔ｈ１は、サッシ縦枠の突縁４ａにねじ込むためのドリリングタッピングビスｂ１を貫通させるためのものである。
【００１９】
張出し部１２には、防犯ビスｂ３をねじ込むためのビスねじ込み孔ｈ２が設けてある。また、位置決め部１３には、その高さ方向中間部にビス貫通孔ｈ１を屋外方向に連通させるための切欠（又は孔。以下、同じ。）１３ａが設けられている。
【００２０】
固着部１１の右側の端部に屋内方向に屈曲された案内部１１ａが設けてある。第１ブラケットＢ１をサッシ縦枠４に取付ける際は、フック部１４を突縁４ａの上端部４ｂに係止し、かつ、案内部１１ａを突縁４ａの側端に当接するだけで、固着部１１のビス貫通孔ｈ１からサッシ縦枠４の突縁４ａのねじ込み位置を正確に、しかも簡単迅速に決定することができる。
【００２１】
上記構成により、第１ブラケットＢ１はフック部１４をサッシ縦枠４の突縁４ａの上端部４ｂに係止し、固着部１１をその突縁４ａに当接し、かつ、案内部１１ａを突縁４ａの側端に突き当てると、ビス貫通孔ｈ１から突縁４ａへのねじ込み位置が決定するので、位置決め部１３の切欠１３ａから第１ビスである通常のドリリングタッヒングビスｂ１を固着部１１のビス貫通孔ｈ１に貫通し、さらにサッシ縦枠の突縁４ａの孔明け及びねじ切りをしながらねじ込むことにより、第１ブラケットＢ１をサッシ縦枠の所定位置にしっかり固着し、張出し部１２を屋外方向に張出させることができる。なお、突縁４ａの所定位置に下穴が設けてある場合は、ビスｂ１にはタッヒングビスを用いることができる。
【００２２】
同じく図１の第２ブラケットＢ２（Ｂ２2 ）は、屋外側端部に備えられて、面格子Ｇの上横枠６に固着される固着部１５と、その固着部から屋内方向に張出す張出し部１６と、その張出し部の屋内側端部に固着部１５と平行な状態で設けられた位置決め部１７とを一体に有する。
そして、固着部１５の高さ方向ほぼ中央位置にビス貫通孔ｈ３が設けられ、張出し部１６の中間位置に防犯ビスｂ３の軸部を貫通するためのビス貫通孔ｈ４が設けられ、さらに位置決め部１７には、ビスｂ２を面格子の上横枠６にねじ込む際に用いられるドライバ（不図示）を挿通するためのドライバ挿通孔１８が設けてある。
【００２３】
位置決め部１７から張出し部１６の防犯ビス貫通孔ｈ４までの距離は、第１ブラケットＢ１の位置決め部１３から防犯ビスねじ込み孔ｈ２までの距離と等しく設定されている。従って、第２ブラケットＢ２を第１ブラケットＢ１に結合する際に、第２ブラケットＢ２の位置決め部１７の屋内側面を第１ブラケットＢ１の位置決め部１３の屋外側面に当接することにより、第２ブラケットＢ２の防犯ビス貫通孔ｈ４を第１ブラケットＢ１の防犯ビスねじ込み孔ｈ２に容易に完全に合致させることができる。
【００２４】
通常は、張出し部１６の防犯ビス貫通孔ｈ４は、サッシ縦枠４の上下の第１ブラケットと面格子の上下の第２ブラケットＢ２の通常生じる取付け誤差を調整するために、孔中心位置から上下方向にそれぞれ２ｍｍ程度付加した長孔に形成されている。
サッシ縦枠４の高さが例えば２０〜３０ｍｍ程度の範囲で異なる複数のサイズのサッシ枠に対しても同一サイズの面格子を取付ける場合は、面格子に対する第２ブラケットＢ２の取付け位置を変えずに第１ブラケットＢ１に接続可能にするため、好ましい実施例では、第２ブラケットＢ２の張出し部１６の防犯ビス貫通孔ｈ４は、図１に例示するように、長さがサッシ枠のサイズ変動幅に対応して２０〜３０ｍｍ程度の長孔に形成されることが好ましい。
【００２５】
第２ブラケットＢ２の面格子Ｇに対する固着構造は、ドライバ挿通孔１８から挿通されるドライバにより第２ビスである通常のビスｂ２をビス貫通孔ｈ３からねじ込んで、面格子の横枠６に固着されるものであれば、とくに限定されない。第２ブラケットＢ２の面格子Ｇに対する固着構造の一例を図３，４に基づいて説明すると、面格子の上下の横枠６，７の屋内側部分に屋内方向に開口するあり溝６ａ、７ａを有するブラケット取付部が設けられている。そして、各あり溝の両端部付近にビス受け部材１９が溝の長手方向に摺動自在に嵌合されている。このビス受け部材には、その長手方向に隔てた位置に複数個のねじ孔２０が設けてある。好ましくは、あり溝の開口を形成する上下の突縁６ｂ，７ｂの屋内側部分に第２ブラケットの固着部１５の上端部と下端部とを嵌合して位置決めできるように凹部が形成されている。
なお、ブラケット取付部のあり溝６ａ，７ａの両端部には脚付きキャップ２１が、その脚をあり溝６ａ，７ａに押入して装着してあり、そのあり溝の両端部を隠蔽してある。
【００２６】
こうして、第２ブラケットＢ２を面格子Ｇの横枠６に固着するには、第２ブラケットＢ２の固着部１５をブラケット取付部の凹部に嵌合し、固着部のビス貫通孔ｈ３とビス受け部材１９のねじ孔２０の一つとを合致させ、ドライバ挿通孔１８から挿通したドライバにより第２ビスｂ２をビス受け部材１９のねじ孔に仮締めした状態で、そのビス受け部材１９がキャップ２１の脚に当たって停止されるまで第２ブラケットＢ２を介してビス受け部材１９を横枠６，７の端部方向に移動する。
この場合、第２ブラケットＢ２の面格子Ｇに対する取付け位置は、ビスｂ２をビス受け部材１９のどのねじ孔にねじ込むかにより決定されるので、サッシ枠Ｓの左右の縦枠３，４の突縁４ａ間の距離に対応して、ビス受け部材のねじ孔を選択する。つまり、サッシ枠の間口寸法に対応して第２ブラケットの取付け位置の調整が可能とされている。この技術は周知の事項である。
【００２７】
好ましい実施例では、第２ブラケットＢ２の位置決め部１７の上端部には、屋内方向に突出するフック部１７ａが設けられている。このフック部１７ａを設けた場合は、面格子Ｇをサッシ枠Ｓに取付ける際は、上側の第２ブラケットＢ２1 ，Ｂ２2 の位置決め部１７をフック部１７ａが上側の第１ブラケットＢ１1 ，Ｂ１2 の位置決め部１３の上方に位置するように接近させ、両位置決め部１３，１７を面接触したままその面格子を若干下降させて、第２ブラケットのフック部１７ａを第１ブラケットの位置決め部１３の上端部に係止させる。
その後に、面格子の下側部分をサッシ枠の下横枠２方向に寄せて、下側の第２ブラケットＢ２3 ，Ｂ２4 の位置決め部１７を下側の第１ブラケットＢ１3 ，Ｂ１4 の位置決め部１３に当接させる。
【００２８】
これにより、上下の第２ブラケットＢ２の防犯ビス貫通孔ｈ４を容易に上下の第１ブラケットＢ１の防犯ビスねじ込み孔ｈ２と合致させることができる。そして、上下左右の４か所におけるブラケットの第２ブラケットＢ２をサッシ枠Ｓに固着されている第１ブラケットＢ１に係止して、面格子を安定させた状態で、防犯ビスｂ３を第２ブラケットＢ２の防犯ビス貫通孔ｈ４から第１ブラケットＢ１の防犯ビスねじ込み孔ｈ２に切られているめねじにねじ込んで、第１ブラケットＢ１と第２ブラケットＢ２とを強固に結合することができる。
【００２９】
第１ブラケットＢ１と第２ブラケットＢ２が結合された状態において、第１ビスｂ１の頭は第１ブラケットＢ１の固着部１１の屋外側面に露出され、第２ビスｂ２は第２ブラケットＢ２の固着部１５の屋内側面に存在しているが、第１ブラケットＢ１の位置決め部１３の切欠１３ａは第２ブラケットＢ２の位置決め部１７により遮蔽されており、また、第１ブラケットの固着部１１と位置決め部１３との間の間隔及び第２ブラケットの固着部１５と位置決め部１７との間の間隔はいずれも比較的小さいので、極めて特殊な工具を用いない限り、ビスｂ１，ｂ２を緩めて第１ブラケットＢ１や第２ブラケットを分離することはできない。仮に特殊工具が入手できても、ブラケットの分離が可能になるまでビスを緩めるには相当の時間がかかる。そして、防犯ビスｂ３は締める方向にのみ回転可能であるが、緩める方向には回転不可能であるので、高い防犯性が得られる。
【００３０】
図１において、第１ブラケットの張出し部１２の屋内外方向中間部の上半部に形成してある切欠部１２ａは、サッシ枠の縦枠の外側から横枠のビスホールにねじ込んだビスの頭部の回避を可能にするためのものである。このような切欠部１２ａを備えた場合は、サッシ枠の縦枠の屋外側端部に設けてある突縁が縦枠の屋内方向に若干ずらして設けてあるサッシに対しても、縦枠と横枠を組立てるビスの頭部を避けることが可能になる。
【００３１】
上記実施の形態によれば、第１ブラケットＢ１は固着部１１をサッシ縦枠の突縁４ａに当接し、フック部１４をその突縁の上端部に係止し、かつ、案内部１１ａを突縁４ａの側端に突き当てると、ビス貫通孔ｈ１から突縁４ａへのねじ込み位置が決定するので、第１ブラケットＢ１のサッシ枠の正確な位置への取付けが迅速容易にでき、また、第２ブラケットＢ２の位置決め部１７を第１ブラケットＢ１の位置決め部１３に当接し、第２ブラケットＢ２の位置決め部１７のフック部１７ａを第１ブラケットＢ１の位置決め部１３に係止すると、第２ブラケットの防犯ビス貫通孔ｈ４と第１ブラケットの防犯ビスねじ込み孔ｈ２が正確に合致するので、防犯ビスｂ３のねじ込み作業を迅速簡単に行うことができる。そして、最終的にねじ込まれる防犯ビスは、屋外側からねじ込まれるので、面格子取付けのために作業者が屋内に入る必要がない。また、二つのブラケットが結合された状態では、第１ブラケットをサッシ縦枠に接続するビスｂ１及び第２ブラケットを面格子に接続するビスｂ２を容易に緩めることはできず、さらに、最終的に屋外側からねじ込まれる防犯ビスｂ３は、締め方向にしか回転できないので、防犯性が従来に比し、格段に向上される。
【００３２】
【発明の効果】
上述のように、請求項１の発明によれば、サッシ枠側の第１ブラケットの取付け位置が第１ブラケットを縦枠の突縁の端部に係止し、かつ、案内部を突縁の側端に係止するだけで簡単に正確な位置に確定できるので、第１ブラケットの取付作業が時間を著しく短縮でき、また、安定した取付が可能である。
【００３３】
また、請求項２の発明によれば、サッシ枠側の第１ブラケットと面格子側の第２ブラケットとを結合する時は、第２ブラケットの位置決め部を第１ブラケットの位置決め部に当接し、かつ、フック部を係止するだけで防犯ビス貫通孔と防犯ビスねじ込み孔とを簡単正確に合致させることができるので、防犯ビスのねじ込み作業を簡単迅速に行うことができる。従って、面格子の取付が容易であり、かつ、高い防犯性が得られる。
【００３４】
請求項３の発明によれば、サッシ縦枠の高さが一定の範囲で変動があっても、第２ブラケットの面格子に対する取付け位置を変えずに、第１ブラケットと第２ブラケットの結合ができる。
【００３５】
そして、請求項４の発明によれば、第１ブラケットの張出し部に、サッシ枠の縦枠の外側から横枠のビスホールにねじ込んだビスの頭部の回避を可能にする切欠部が形成されているので、サッシ枠の縦枠の屋外側端部に設けてある突縁が縦枠の屋内方向に若干ずらして設けてあるサッシに対しても、縦枠と横枠を組立てるビスの頭部を避けることが可能になる。
【図面の簡単な説明】
【図１】本発明の要部の構成を示す分解図。
【図２】サッシ枠と面格子と各ブラケットの装着状態を示す斜視図。
【図３】面格子が取付けられた状態におけるサッシの縦断面図。
【図４】同じく横断面図。
【符号の説明】
Ｓ        サッシ枠
３，４    縦枠
４ａ      突縁
Ｂ１（Ｂ１1 〜Ｂ１4 ）      第１ブラケット
１１      固着部
１２      張出し部
１３      位置決め部
１４      フック部
ｈ１      ビス貫通孔
ｈ２      防犯ビスねじ込み孔
１５      固着部
１６      張出し部
１７      位置決め部
１８      ドライバ挿通孔
ｈ３      ビス貫通孔
ｈ４      防犯ビス貫通孔
ｂ１      ドリリングタッピングビス又はタッピングビス
ｂ２      ビス
ｂ３      防犯ビス
【図１】
0003779587.tif 000002
【図２】
0003779587.tif 000003
【図３】
0003779587.tif 000004
【図４】
0003779587.tif 000005